(57)【要約】      （修正有）【課題】日本沿岸地区の各所に、地震による津波対策として、高台等に避難場所が設置されていると思われる。しかし、地震発生後、時間を待たず津波が押し寄せてきた場合、沿岸地区の集落の人たちが、老人や身体の不自由人、又子供を含め、避難場所に安全に避難することが出来るだろうか疑問である。おそらく、各所で山崩れ、崖崩れ、道路等の陥没、ヒビ割れ、建物の又ブロック塀等の倒壊。人々は、逃げ場を失うであろうと想像できる。【解決手段】従来の避難場所に設けてある鉄骨等でできている避難装置に、ナイロン等のロープ網を天井と壁の内側に取り付ける。ロープ網は天井や壁から、５０センチ内側に取り付ける。【選択図】図３
2007082978.tif 000002
【特許請求の範囲】
【請求項１】
日本の沿岸各地に、地震による津波発生時に対して住民が、緊急時に避難する指定避難場所が、今日、至る所に設置されていると思われる。しかし、地震が発生して、住民や近くに居る人達が、津波が押し寄せて来ることが分かった時、急いで避難したその指定避難場所に、不幸にして津波が押し寄せた時、その津波による大波で、水中にさらわれる事が無く、命が助かるように設置されているだろうか心配である。本発明の、津波襲来時における安全避難装置ロープ網は、津波による大波から、水中へとさらわれない為の設置を提供するものである。
【発明の詳細な説明】
【発明の詳細な説明】
【発明に属する技術分野】
【０００１】  本発明の、津波襲来時における安全避難装置ロープ網は、地震による津波が押し寄せてくるのを、いち早く住民に知らせ、指定避難場所に避難しても、津波がこの指定避難場所まで、絶対に押し寄せて来ないと言えるだろうか。自然には、絶対大丈夫の文字は無いと考えるべきである。故に、本発明の、津波襲来時における安全避難装置ロープ網の設置が必要だと思われる。津波襲来の急報により、指定避難場所に急いで避難しても、津波が押し寄せてきて、その津波による水中の渦の中に巻き込まれ、避難場所から、水中へと連れて行かれると考えられる。何故ならば、押し寄せて来た渦巻き状の津波によって、身体が回転し、設置してある手摺等に掴まっていても、津波の力に負けて身体が浮いてしまうからだ。
【背景技術】
【０００２】  従来には。沿岸地区にあって、地震による津波が発生した場合の避難場所が、高台等に鉄骨で骨組みして、階段を付けてある装備をよく見る。しかし、高台だから津波が襲って来ても、この避難場所までは押し寄せてはこないと思っているのか、廻りに手摺が落下を防ぐだけの意味で付いているように見える。
【発明が解決しようとする課題】
【０００３】  １．従来の、集落の高台に、地震による津波対策用の、避難場所に設置してある装置を見ると、ここまでは津波は来ないと想定した造りである。本当にここまでは来ないと保証出来るだろうか。何時かは必ず大きな津波が来る。近日きっと来ると考えるべきと思う。又、仮に高台まで津波はこないにしても、果たして、いざ、地震が起き、その地震による山崩れ、崖崩れ、道路等の避難通行場所の陥没、道路のひび割れ、建物やブロック塀の倒壊等が考えられる。ならば、本発明の、津波襲来時における安全避難装置ロープ網を身近に設けて、自然への、津波災害に逆らはない方法をとるべきと思われる。２．集落の近くに高台があれば、津波襲来時に対して、一早く高台に逃げれば命は助かる。しかし、年老いた人、身体の不自由な人や、又高台が近くに無い場合を考え、津波襲来時における安全避難装置は、身近な場所に設置すべきと考えられる。なぜなら、津波には場所と時間が無いからである。
【課題を解決するための手段】
【０００４】  沿岸近くに、新たに、津波襲来時における安全避難装置を設置する場合は別にして、従来の、避難場所に設けてある鉄骨等で出来ているだけの避難装置に、本発明の、（１５ｍｍ〜２０ｍｍ程の親綱又１０ｍｍ程の細綱）太さのナイロン等の、軽くて劣化しないロープ網を、天井と壁の内側に取付けるだけで良い。床兼天井がもし、コンクリート又は鉄板等で設置してあれば、その部分を取外し、天井と床を兼ねた網目で出来た鋼板を敷き付けるだけである。ここで大切な事は、ロープ網を、天井や壁から、５０ｃｍは少なくても内側に離して取り付ける必要がある。なぜならば、津波の渦巻く水中で、身体が浮いてしまった場合、天井や壁や手摺等に、身体を強く打ちつける事が考えられ、大怪我の心配があるためである。床面の天井を兼ねた網目の鋼板は、津波による水力に対して、もし、コンクリートや平らな板状であったならば、かなりの水圧による抵抗があり、倒壊しかねないから、その水圧の抵抗を弱めるためにもなるべくなら、網目の鋼板に変えたほうがよい。又、壁にも同じ事が考えられるので、ブロック等の壁で囲わないほうがよく、鉄骨柱に梁と筋交いだけで良い。津波は、図２の海側（ｂ）から押し寄せて来ると想定した造りにして、特にａ．ｃには梁を多く入れ、ｂ．ｄには突っ支い柱を設ける必要がある。したがって、全体の構図として、各階の天井部分には、網目の鋼板から、５０ｃｍ下がった部分にロープ網を取り付けるだけでよい。壁面には、鉄骨柱に梁と筋交いと、壁面からやはり５０ｃｍ離したロープ網。床面には、天井を兼ねた網目鋼板、又、最上階の天井部分には、網目の鋼板は付けず、柱と梁、筋交いにロープ網だけで良い。ここで、最も大事な事は、１．基礎である。基礎をしっかりと丈夫に造らないと、津波襲来時における安全避難装置が、基礎ごと津波による倒壊が考えられるからである。２．梁である。図２．３に示してある様に、ａ．ｃ面に梁をｂ．ｄ面より多く設け、ｂ．ｄ面に突っ支い柱を設ける。何故ならば、先記したように、海側（ｂ）から津波が襲ってくるからである。３．天井と床を兼ねた鋼板の網目の大きさは、大きければ大きい程水圧の抵抗は少ない。しかし、避難した人の足が、網目の中に挟まってはいけないので、子供の足が挟まらない位が良い。４．天井と壁面のロープ網目の大きさは、赤ちゃんの頭が、網目に入らない位の大きさが良い。５．津波襲来時における、安全避難装置に避難する場合、１階平屋建て、２階建て、３階建てにせよ、出入口は、１階の１ケ所しか設け無い。したがって、どの階の何処に避難しても、その出入口に来ない限りは、津波に連れさらわれることは無い。
【発明の効果】
【０００５】  指定避難場所に、大津波が襲って来たと想像して見る。人間、溺れるもの藁をも掴むの諺があるように、渦巻く水中で、何がなんだか分からない事が、一瞬にして起こった場合、両手足を水中で動かして、もしそこに、ロープ網が手に触れたならば誰もが掴むと思う。では、津波による大波が白波をたて押し寄せて来たならば、目の前のロープ網に、始めから掴んでいて、いざ大波が襲って来ても慌てることはない。たった３秒か長くて５秒、水中で息を止め、ロープ網を掴み、静かにしていれば津波は去って行く。万一、水中に身体が浮いてしまった場合、ロープ網が、天井や壁面に張ってあるから、避難場所から外に、大波と一緒に流され出てしまうことは無い。
【図面の簡単な説明】
【０００６】本発明の、津波襲来時における安全避難装置ロープ網の、一実施例を示した図である。【図１】本考案の（１）平面図（２）斜視図である。
【図２】本考案の（３）斜視図（４）立面図である。
【図３】本考案の（５）斜視図（６）立面図である。
【図４】本考案の（７）立面図（８）立面図に１−３設置図である。
【図５】本考案の（９）（１０）３階平面図（１１）（１２）２階平面図（１３）１階平面図である。
【図６】本考案の（１４）（１５）（１６）（１７）立面図である。
【図７】本考案の（１８）（１９）斜視図である。
【図８】本考案の（２０）（２１）部分拡大断面図（２２）（Ａ）リング拡大側面図（Ｂ）（Ｃ）正面図である。
【符号の説明】
本発明は
（１）    １−１    梁
１−２    筋交い
２−１    柱
（２）    １−２    筋交い
２−１    柱
２−２    ２階床網目鋼板（１階天井兼）
２−３    ３階床網目鋼板（２階天井兼）
５−２    ２〜３階階段
１４−２  １〜２階階段
（３）    ａ        出入口面
ｂ        海側面
１−１    梁
１−２    筋交い
１−３    突っ支い柱
２−１    柱
９−２    出入口
（４）    （３）の  立面図
（５）    ｃ        ａ反対図
１−１    梁
１−２    筋交い
１−３    突っ支い柱
２−１    柱
（６）    （５）    立面図
（７）    ｂ．ｄ    海側と反対面
（８）    （７）    突っ支い柱設置図
（９）    ２−３    ３階床網目鋼板
５−２    ２〜３階階段
５−３    壁．ロープ網５０ｃｍ空間部
（１０）  ５−２    ２〜３階階段
１０−１  壁．ロープ網親綱配置図  ◎印
１０−３  壁．ロープ網細綱間仕切配置図
（１１）  ２−２    ２階床網目鋼板
５−２    ２〜３階階段
５−３    壁．ロープ網５０ｃｍ空間部
１４−２  １〜２階階段
（１２）  ５−２    ２〜３階階段
１０−１  壁．ロープ網親綱配置図  ◎印
１０−３  壁．ロープ網細綱間仕切配置図  ○印
１４−２  １〜２階階段
（１３）  ５−２    ２〜３階階段
９−２    出入口
１０−１  壁．ロープ網親綱配置図  ◎印
１０−３  壁．ロープ網細綱間仕切配置図  ○印
１４−２  １〜２階階段
（１４）（１５）（１６）（１７）
１−１    梁
２−１    柱
５−２    ２〜３階階段
５−３    壁．ロープ網５０ｃｍ空間部
１０−１  壁．ロープ網親綱配置図  ◎印
１０−６  リング止め具
１４−２  １〜２階階段
（１８）  １０−１  壁．ロープ網親綱配置図  ◎印
１０−４  壁．ロープ網親綱角
１０−５  リング．ロープ止め具天井細綱
１０−６  リング．ロープ止め具天井親綱
１０−７  天井．壁．ロープ網親綱
１０−８  天井．ロープ網細綱  ○印
（１９）  １０−１  壁．ロープ網親綱配置図  ◎印
１０−２  壁．ロープ網細綱間仕切配置図  ○印
１０−７  天井．壁．ロープ網親綱
（２０）  Ａ  Ｂ      Ａ  Ｂ（２１）拡大図
１０−５  リング．ロープ止め具天井細綱
１０−６  リング．ロープ止め具天井親綱
１０−７  天井．壁ロープ網親綱
１１−１  リング．ロープ止め具  固定ナット
１１−２  リング．ロープ止め具  座金
１１−３  リング．ロープ止め具  中間棒
１１−４  リング．リング中間ロープ
（２１）  ２−１    柱
２−２    ２階床網目鋼板（１階天井兼）
２−３    ３階床網目鋼板（２階天井兼）
５−３    壁．ロープ網５０ｃｍ空間部
１０−１  壁．ロープ網親綱配置図  ◎印
１０−６−１  リング．ロープ止め具床親綱
（２２）
（Ａ）              １１−５  リング
１Ａ      リング側面
１Ａ−１  リング側面  上部部分
１Ａ−２  リング．舌  取合い拡大側面
２Ａ      舌  側面
３Ａ      ４Ａ自在回転心棒押え側面
４Ａ      自在回転心棒側面
５Ａ      空洞側面
１１−５−１  ２Ａ舌２Ａ−１自在回転側面
（Ｂ）              １１−５  リング．舌取合い正面部分
１Ａ−１  リング上部正面
５Ａ      空洞断面
（Ｃ）              １Ａ−２リング．舌取付け部分正面
１Ａ−１  リング上部
２Ａ      舌
３Ａ      ４Ａ自在回転心棒押え横面
４Ａ      自在回転心棒断面
【図１】
2007082978.tif 000003
【図２】
2007082978.tif 000004
【図３】
2007082978.tif 000005
【図４】
2007082978.tif 000006
【図５】
2007082978.tif 000007
【図６】
2007082978.tif 000008
【図７】
2007082978.tif 000009
【図８】
2007082978.tif 000010